(57)【要約】  マルチローター風力タービン１０を組み立てる方法が開示される。キャリア構造体１、１ａ、１ｂは、タワー構造体２に対して周方向に配置され、ワイヤウィンチ機構３、４、８等のホイスト機構を用いてタワー構造体２の上部へと吊り上げられる。更に、エネルギー発生ユニット５は、ホイスト機構３、４、８を用いてキャリア構造体１、１ａ、１ｂへと吊り上げることができる。マルチローター風力タービン１０を分解する同様の方法も開示される。マルチローター風力タービン１０は、外部のクレーンを必要とすることなく組立て又は分解することができる。【選択図】図１
2018526558.tif 000002
【特許請求の範囲】
【請求項１】
マルチローター風力タービン（１０）を組み立てる方法であって、前記風力タービン（１０）は、タワー構造体（２）と、それぞれナセル（１３）と１組の風力タービンブレード（７）を保持するハブ（６）とを備える少なくとも２つのエネルギー発生ユニット（５）と、それぞれ１つ以上のエネルギー発生ユニット（５）を保持するように構成されている少なくとも１つのキャリア構造体（１、１ａ、１ｂ）とを備え、該方法は、
前記キャリア構造体（１、１ａ、１ｂ）を、前記タワー構造体（２）の下部において、該タワー構造体（２）に対して周方向に配置するステップと、
ホイスト機構（３、４、８）を用いて、前記キャリア構造体（１、１ａ、１ｂ）を前記タワー構造体（２）の上部へと吊り上げるステップと、
前記キャリア構造体（１、１ａ、１ｂ）を前記タワー構造体（２）に固定するステップと、
を含む、方法。
【請求項２】
前記キャリア構造体（１、１ａ、１ｂ）を前記タワー構造体（２）に対して周方向に配置する前記ステップは、前記キャリア構造体（１、１ａ、１ｂ）の２つ以上の部分を前記タワー構造体（２）に対して周方向に配置することと、前記２つ以上の部分を組み付けて前記キャリア構造体（１、１ａ、１ｂ）を形成することとを含む、請求項１に記載の方法。
【請求項３】
前記キャリア構造体（１、１ａ、１ｂ）を前記タワー構造体（２）の上部へと吊り上げる前記ステップは、前記キャリア構造体を前記タワー構造体（２）の前記上部へと吊り上げる間、前記タワー構造体（２）の外面と前記キャリア構造体の内面との間の隙間を制御することを含む、請求項１又は２に記載の方法。
【請求項４】
前記隙間を制御することは、前記隙間内に複数のばね付勢ローラー及び／又はばね付勢摺動パッドを配置することを含む、請求項３に記載の方法。
【請求項５】
前記ホイスト機構は、前記キャリア構造体に取り付けられる複数のワイヤ（３）を備え、前記キャリア構造体（１、１ａ、１ｂ）を前記タワー構造体（２）の上部へと吊り上げる前記ステップは、前記キャリア構造体を前記タワー構造体（２）の前記上部へと吊り上げる間、前記ワイヤを監視するとともに、前記ワイヤを互いに対して調整することによって、前記吊上げを制御することを含む、請求項１〜４のいずれか１項に記載の方法。
【請求項６】
前記ワイヤを監視及び調整することは、ワイヤ長さ、ワイヤ張力、ワイヤ牽引力、及びワイヤ牽引速度による群のうちの１つ以上を含むパラメーターを監視及び調整することを含む、請求項５に記載の方法。
【請求項７】
前記ホイスト機構は、前記キャリア構造体と前記地面との間に延びる１つ以上のワイヤ（３）を備える、請求項１〜６のいずれか１項に記載の方法。
【請求項８】
前記キャリア構造体（１、１ａ、１ｂ）は、リング（１１）と、該リング（１１）から延出する１つ以上のアーム（１２）とを備え、前記キャリア構造体（１、１ａ、１ｂ）を前記タワー構造体（２）に対して周方向に配置する前記ステップは、前記１つ以上のアーム（１２）が前記タワー構造体（２）から延出するように、前記リング（１１）を前記タワー構造体（２）に対して周方向に、該タワー構造体（２）に隣接して配置することを含む、請求項１〜７のいずれか１項に記載の方法。
【請求項９】
前記タワー構造体（２）は、円錐形状を有し、前記キャリア構造体（１、１ａ、１ｂ）を前記タワー構造体（２）の上部へと吊り上げる前記ステップは、前記キャリア構造体（１、１ａ、１ｂ）を前記タワー構造体（２）の前記上部へと吊り上げる間、前記キャリア構造体（１、１ａ、１ｂ）によって規定される内径を、前記円錐形タワー構造体（２）によって規定される外径に適合するように調整することを含む、請求項１〜８のいずれか１項に記載の方法。
【請求項１０】
前記タワー構造体（２）は、２つ以上のタワーセグメントを含み、前記方法は、前記２つ以上のタワーセグメントを組み付けることによって前記タワー構造体（２）を組み立てるステップを更に含む、請求項１〜９のいずれか１項に記載の方法。
【請求項１１】
前記タワー構造体（２）を組み立てる前記ステップは、第１のタワーセグメントを基礎構造体に取り付け、その後、１つ以上の更なるタワーセグメントを前記第１のタワーセグメントに取り付けることを含み、前記キャリア構造体（１、１ａ、１ｂ）を前記タワー構造体（２）に対して周方向に配置する前記ステップは、前記第１のタワーセグメントを前記基礎構造体に取り付けた後かつ前記２つ以上の更なるタワーセグメントを前記第１のタワーセグメントに取り付ける前に行われる、請求項１０に記載の方法。
【請求項１２】
前記キャリア構造体（１、１ａ、１ｂ）を前記タワー構造体（２）の上部へと吊り上げる前記ステップは、前記タワー構造体（２）を組み立てる前記ステップが完了すると行われる、請求項１０又は１１に記載の方法。
【請求項１３】
前記ホイスト機構（３、４、８）を用いて、前記２つ以上のエネルギー発生ユニット（５）を前記キャリア構造体（１、１ａ、１ｂ）へと吊り上げるステップと、
前記エネルギー発生ユニット（５）を前記キャリア構造体（１、１ａ、１ｂ）に固定するステップと、
を更に含む、請求項１〜１２のいずれか１項に記載の方法。
【請求項１４】
前記エネルギー発生ユニット（５）のうちの少なくとも１つに関して、前記ナセル（１３）及び前記ハブ（６）を組み付けるステップを更に含み、前記２つ以上のエネルギー発生ユニット（５）を前記キャリア構造体（１、１ａ、１ｂ）へと吊り上げる前記ステップは、前記ホイスト機構（３、４、８）を用いて、前記組み付けられたエネルギー発生ユニット（５）を吊り上げることを含む、請求項１３に記載の方法。
【請求項１５】
前記エネルギー発生ユニット（５）を前記キャリア構造体（１、１ａ、１ｂ）へと吊り上げる前に、１つ以上の風力タービンブレード（７）を、前記エネルギー発生ユニット（５）のうちの少なくとも１つのエネルギー発生ユニット（５）の前記ハブ（６）に取り付けるステップを更に含む、請求項１４に記載の方法。
【請求項１６】
前記エネルギー発生ユニット（５）を前記キャリア構造体（１、１ａ、１ｂ）へと吊り上げる前記ステップは、前記エネルギー発生ユニット（５）のうちの少なくとも１つに関して、
前記風力タービンブレード（７）が実質的に前記地面と平行に延在するように前記エネルギー発生ユニット（５）を配置するステップと、
前記ホイスト機構（３、４、８）を用いて、前記エネルギー発生ユニット（５）を前記キャリア構造体（１、１ａ、１ｂ）へと吊り上げるステップと、
前記エネルギー発生ユニット（５）を、前記風力タービンブレード（７）が実質的に前記地面と垂直に延在する位置に傾けるステップと、
を含む、請求項１５に記載の方法。
【請求項１７】
前記エネルギー発生ユニット（５）を前記キャリア構造体（１、１ａ、１ｂ）へと吊り上げる前記ステップは、前記エネルギー発生ユニット（５）のうちの少なくとも１つに関して、
前記ハブ（６）を、前記ナセル（１３）に対して、前記風力タービンブレード（７）が実質的に前記地面と平行に延在する位置に傾けるステップと、
前記ホイスト機構（３、４、８）を用いて、前記エネルギー発生ユニット（５）を前記キャリア構造体（１、１ａ、１ｂ）へと吊り上げるステップと、
前記ハブ（６）を、前記ナセル（１３）に対して、前記風力タービンブレード（７）が実質的に前記地面と垂直に延在する位置に傾けるステップと、
前記ハブ（６）を前記ナセル（１３）に回転式に取り付けるステップと、
を含む、請求項１５に記載の方法。
【請求項１８】
前記ホイスト機構は、ワイヤウィンチ機構（３、４、８）である、請求項１〜１７のいずれか１項に記載の方法。
【請求項１９】
マルチローター風力タービン（１０）を少なくとも部分的に分解する方法であって、前記風力タービン（１０）は、タワー構造体（２）と、それぞれナセル（１３）と１組の風力タービンブレード（７）を保持するハブ（６）とを備える少なくとも２つのエネルギー発生ユニット（５）と、それぞれ１つ以上のエネルギー発生ユニット（５）を保持するように構成されている少なくとも１つのキャリア構造体（１、１ａ、１ｂ）とを備え、該キャリア構造体（１、１ａ、１ｂ）は、前記タワー構造体（２）の上部において、該タワー構造体（２）に対して周方向に配置され、該方法は、
前記キャリア構造体（１、１ａ、１ｂ）を前記タワー構造体（２）から取り外すステップと、
ホイスト機構（３、４、８）を用いて、前記キャリア構造体（１、１ａ、１ｂ）を前記タワー構造体（２）の下部へと下降させるステップと、
を含む、方法。
【請求項２０】
前記ホイスト機構（３、４、８）を用いて、前記エネルギー発生ユニット（５）のうちの１つ以上を前記地面へと下降させるステップを更に含む、請求項１９に記載の方法。
【請求項２１】
前記エネルギー発生ユニット（５）のうちの１つ以上を前記地面へと下降させる前記ステップは、
エネルギー発生ユニット（５）を前記キャリア構造体（１、１ａ、１ｂ）から取り外すステップと、
前記エネルギー発生ユニット（５）を、前記風力タービンブレード（７）が実質的に前記地面と平行に延在する位置に傾けるステップと、
前記ホイスト機構（３、４、８）を用いて、前記エネルギー発生ユニット（５）を前記地面へと下降させるステップと、
を含む、請求項２０に記載の方法。
【請求項２２】
前記エネルギー発生ユニット（５）のうちの１つ以上を前記地面へと下降させる前記ステップは、
エネルギー発生ユニット（５）を前記キャリア構造体（１、１ａ、１ｂ）から取り外すステップと、
前記ハブ（６）を、前記ナセル（１３）に対して、前記風力タービンブレード（７）が実質的に前記地面と平行に延在する位置に傾けるステップと、
前記ホイスト機構（３、４、８）を用いて、前記エネルギー発生ユニット（５）を前記地面へと下降させるステップと、
を含む、請求項２０に記載の方法。
【請求項２３】
前記エネルギー発生ユニット（５）のうちの少なくとも１つは、３つの風力タービンブレード（７）を備え、１つ以上のエネルギー発生ユニット（５）を前記地面へと下降させる前記ステップは、
１つの風力タービンブレード（７）をエネルギー発生ユニット（５）から取り外すステップと、
前記ホイスト機構（３、４、８）を用いて、前記取り外された風力タービンブレード（７）を前記地面へと下降させるステップと、
前記エネルギー発生ユニット（５）の前記ハブ（６）を、残りの２つの風力タービンブレード（７）が上向きの方向に延在する位置に回転させるステップと、
前記エネルギー発生ユニット（５）を前記キャリア構造体（１、１ａ、１ｂ）から取り外すステップと、
前記ホイスト機構（３、４、８）を用いて、前記エネルギー発生ユニット（５）を前記地面へと下降させるステップと、
を含む、請求項２０に記載の方法。
【請求項２４】
前記ホイスト機構は、ワイヤウィンチ機構（３、４、８）である、請求項１９〜２３のいずれか１項に記載の方法。
【発明の詳細な説明】
【技術分野】
【０００１】
本発明は、マルチローター風力タービンを組み立てる方法及びマルチローター風力タービンを少なくとも部分的に分解する方法に関する。本発明の方法は、外部のクレーン機器の使用を必要とすることなく、マルチローター風力タービンを組み立てる又は少なくとも部分的に分解することを可能にする。
【背景技術】
【０００２】
通常、風力タービンは、１つ以上のエネルギー発生ユニットを備え、各エネルギー発生ユニットは、１つ以上の風力タービンブレードを保持するハブを備える。風が風力タービンブレードに作用することにより、ハブを回転させる。ハブの回転運動は、ギア機構を介して、又はいわゆるダイレクトドライブ型の風力タービンの場合には直接、発電機に伝達される。発電機において、電気エネルギーが発生し、この電気エネルギーは、電力網に供給することができる。
【０００３】
一部の風力タービンでは、１つの非常に大型の、ひいては大重量のエネルギー発生ユニットを風力タービンに設ける必要なく、風力タービンによって生成される総電力を増加させるために、２つ以上のエネルギー発生ユニットが設けられる。このような風力タービンは、「マルチローター風力タービン」と呼ばれることがある。
【０００４】
風力タービンを組立て又は分解する場合、通常、タワーを組み立て、１つ以上のナセル、ハブ、風力タービンブレード等をタワーの頂部へと持ち上げるのに、外部のクレーン機器を使用する必要がある。風力タービンのサイズが増大するにつれ、これらの作業を行うのに必要なクレーンのサイズも増大する。この種のクレーン機器を賃借すること、及びクレーン機器を風力タービンの運用地へ、またそこから移送することは、非常に困難かつ高価である場合がある。場合によっては、クレーン機器を賃借するコストは、風力タービンを製造するコストを超過する場合さえある。したがって、風力タービンを組立て及び分解するのに外部のクレーン機器の使用を回避することは非常に望ましい。
【０００５】
特許文献１は、タワーと、タワーから外方に突出する少なくとも２つのアームとを備える風力タービン機構を開示している。ローター及びナセルを備える風力タービンが、各アームの端部に取り付けられる。ナセル及びローターは、風力タービン構造体に一時的又は恒久的に取り付けられたウィンチによって、個別に持ち上げる又は取り外すことができる。
【０００６】
特許文献２は、タワーと、転がり軸受によって、タワー上に支持されている支持体に取り付けられる少なくとも１つのローターユニットとを備える風力設備を開示している。支持体は、ローターユニットのうちの１つが可能な最下点に配置される位置へと回転することができ、ローターユニットは、下降ケーブル装置によって支持体から下降させることができる。
【先行技術文献】
【特許文献】
【０００７】
【特許文献１】英国特許第２４４３８８６号明細書
【特許文献２】欧州特許第１４７６６５９号明細書
【発明の概要】
【発明が解決しようとする課題】
【０００８】
本発明の実施形態の一目的は、マルチローター風力タービンをコスト効果的に組み立てる方法を提供することである。
【０００９】
本発明の実施形態の更なる目的は、マルチローター風力タービンをコスト効果的に少なくとも部分的に分解する方法を提供することである。
【課題を解決するための手段】
【００１０】
第１の態様によれば、本発明は、マルチローター風力タービンを組み立てる方法であって、風力タービンは、タワー構造体と、それぞれナセルと１組の風力タービンブレードを保持するハブとを備える少なくとも２つのエネルギー発生ユニットと、それぞれ１つ以上のエネルギー発生ユニットを保持するように構成されている少なくとも１つのキャリア構造体とを備え、本方法は、
キャリア構造体を、タワー構造体の下部において、タワー構造体に対して周方向に配置するステップと、
ホイスト機構を用いて、キャリア構造体をタワー構造体の上部へと吊り上げるステップと、
キャリア構造体をタワー構造体に固定するステップと、
を含む、方法を提供する。
【００１１】
本発明の第１の態様に係る方法は、マルチローター風力タービンを組み立てることに関する。本文脈において、「マルチローター風力タービン」という用語は、１つのタワー構造体に２つ以上のローター又はエネルギー発生ユニットが取り付けられる風力タービンを意味するものと解釈すべきである。
【００１２】
風力タービンは、タワー構造体と、少なくとも２つのエネルギー発生ユニットと、少なくとも１つのキャリア構造体とを備える。各キャリア構造体は、１つ以上のエネルギー発生ユニットを保持するように構成され、風力タービンが組み立てられると、キャリア構造体（複数の場合もある）がタワー構造体に取り付けられる。したがって、エネルギー発生ユニットは、キャリアユニット（複数の場合もある）を介してタワー構造体に取り付けられる。
【００１３】
各エネルギー発生ユニットは、ナセルと、１組の風力タービンブレードを保持するハブとを備える。風力タービンブレードは、風を捕捉することにより、ハブをナセルに対して回転させる。ハブの回転運動は、直接又はギア機構を介して発電機に伝達される。それにより、電気エネルギーが発生し、この電気エネルギーは、電力網に供給することができる。ナセルは、通常、発電機、ギア機構、及び場合によっては、ハブの回転運動を電気エネルギーに変換するために必要な他の構成要素を収容する。したがって、エネルギー発生ユニットは、風力タービンのうち、風のエネルギーを電気エネルギーに実際に変換する部分を形成する。
【００１４】
本発明の第１の態様の方法によれば、キャリア構造体は、最初に、タワー構造体の下部において、タワー構造体に対して周方向に配置される。
【００１５】
次に、キャリア構造体は、ホイスト機構を用いてタワー構造体の上部へと吊り上げられる。それにより、キャリア構造体は、エネルギー発生ユニットを配置することが所望される位置、特に高さへと吊り上げられる。キャリア構造体は、外部のクレーンを用いる代わりにホイスト機構を用いて、タワー構造体の上部へと吊り上げられることが有利である。なぜなら、そのようなホイスト機構を用いるコストは、外部のクレーンを用いるコストよりも大幅に低いためである。ホイスト機構の少なくとも一部を、一時的又は恒久的に風力タービン内に配置するか又は風力タービンに取り付けることができる。それにより、必要なときにホイスト機構が利用可能であることが確実になり得る。
【００１６】
最後に、キャリア構造体は、タワー構造体の上部において、タワー構造体に固定される。
【００１７】
キャリア構造体をタワー構造体に対して周方向に配置するステップは、キャリア構造体の２つ以上の部分をタワー構造体に対して周方向に配置することと、２つ以上の部分を組み付けてキャリア構造体を形成することとを含むことができる。
【００１８】
この実施形態によれば、キャリア構造体は、最終的なキャリア構造体を形成するために組み付けられる２つ以上の部分を有する。これにより、タワー構造体のサイズに関わらず、及びタワー構造体全体が既に組み立てられているか否かに関わらず、キャリア構造体をタワー構造体に対して周方向に配置することが可能になる。
【００１９】
キャリア構造体の２つ以上の部分は、例えば、可逆的な接続により、例えばねじ又はボルトを用いて組み付けることができる。代替的には、キャリア構造体の２つ以上の部分は、不可逆的に、例えば溶接によって組み付けることができる。
【００２０】
一代替形態として、キャリア構造体は、タワー構造体上を摺動する一部品として製造することができる。この場合、キャリア構造体は、タワー構造体が完全に組み立てられる前に、タワー構造体に対して周方向に配置しなければならない。例えば、タワー構造体は、タワー構造体を形成するために組み付けられる複数のタワーセグメントを備えることができる。この場合、キャリア構造体は、第１のタワーセグメント、すなわち最下のタワーセグメント上を、このタワーセグメントが風力タービンの基礎構造体に取り付けられた後であって、次のタワーセグメントが第１のタワーセグメントに取り付けられる前に摺動させることができる。
【００２１】
一実施形態において、キャリア構造体をタワー構造体の上部へと吊り上げるステップは、キャリア構造体をタワー構造体の上部へと吊り上げる間、タワー構造体の外面とキャリア構造体の内面との間の隙間を制御することを含む。キャリア構造体は、リング構造体を備えることができ、この場合、キャリア構造体の内面は、リング構造体の内面である。タワー構造体の外面及びキャリア構造体の内面は、２つの表面間の隙間がタワーの周りでおおよそ同じサイズを有することができるように、互いに適合することができることが好ましい。隙間のサイズは、キャリア構造体が吊り上げられるにつれて変化することができる。これは、例えば、タワーの長さに沿ってタワー構造体の断面が不均一であること（例えば、テーパー状風力タービンタワー）を理由として当てはまり得る。隙間のサイズは、保持構造体が吊り上げられる際に通過する必要がある、例えば、特にタワーセクションの接続部又は接合部付近のフランジ、表面の段差、ボルト頭部等のような、タワー表面における局所的な不規則部に起因して変化することもできる。
【００２２】
キャリア構造体は、特に、キャリア構造体が、エネルギー発生ユニットに取り付けられるヨー機構及び／又はタワー構造体から延出するアームを備える場合、かなりのサイズ及び重量を有する場合がある。したがって、タワーに作用する負荷を制御し、タワー又はキャリア構造体に対するダメージを防ぐために、吊上げ中、キャリア構造体とタワーとの間の隙間を制御することが非常に有利である。
【００２３】
キャリア構造体の吊上げの制御が可能であることの重要性は、現行のマルチローター風力タービンの典型的で現実的ないくつかの寸法を考慮することによって強調され得る。タワーは、長さが約１００メートル〜１８０メートルで、タワー直径が約２メートル〜４メートルであるであろう。エネルギー発生ユニットは、タワーから４０メートル〜５０メートル延出するキャリア構造体のアームに配置され、キャリア構造体単独での重量（エネルギー発生構造体の重量を含まない）は、約１００トン〜１５０トンとすることができ、そのうちヨー機構は約２０トンを占める。
【００２４】
一実施形態によれば、隙間を制御することは、隙間内に複数のばね付勢ローラー及び／又はばね付勢摺動パッドを配置することを含むことができる。ローラー又は摺動パッドは、タワーの周りに間隔を置いて配置されることが好ましく、この間隔は、キャリア構造体がタワー壁と直接接触することを防ぐ程度に十分小さい。ばね付勢ローラーの使用は、ローラーがタワー表面に沿って転動し、それにより、タワーとキャリア構造体との間のクリアランスを維持するとともに、キャリア構造体の良好に制御され安定した吊上げ動作を確実にしつつ、キャリア構造体を、溶接部、フランジ、又はボルト頭部等のようなタワー表面にある障害物又は凹凸を越えて吊り上げることができる点で有利である。
【００２５】
ローラーに代えて又はローラーに加えて、ばね付勢摺動パッドを用いてもよい。ばね付勢摺動パッドの表面は、タワー表面の凹凸をより容易に越えることができるように角度が付いていてもよい。
【００２６】
複数のばね付勢ローラー及び／又はばね付勢摺動パッドは、キャリア構造体の内面において全て同じ高さに配置してもよいし、好ましくは２つ以上の異なる高さに配置してもよい。これにより、キャリア構造体の吊上げ中の傾きは、より効率よく防止される。これにより、キャリア構造体とタワー構造体との間の直接の接触のリスクが大幅に低減される。
【００２７】
本発明の更なる実施形態によれば、ホイスト機構は、キャリア構造体に取り付けられる複数のワイヤを備える。更に、キャリア構造体をタワー構造体の上部へと吊り上げるステップは、キャリア構造体をタワー構造体の上部へと吊り上げる間、ワイヤを監視するとともに、ワイヤを互いに対して調整することによって、吊上げを制御することを含む。これにより、吊上げは、キャリア構造体とタワーとの間の接触又は吊上げ中のキャリア構造体の望ましくない動きを回避するように制御される。キャリア構造体のかなり大きくなることが多い重量及び寸法と、キャリア構造体を適所に吊り上げる際の困難な作業条件とに留意すると、傾き又はあらゆる振動等の制御されない動きは回避すべきであり、さもなければ、深刻なダメージ及び安全問題につながりかねない。ワイヤを互いに対して調整することにより、ワイヤは、キャリア構造体が、吊り上げられると、所望の位置に吊るされ、その位置に留まることが常に確実になるように調整することができる。更に、重量及び負荷が、意図及び所望のようにワイヤ間で分散される、例えば全てのワイヤ間で均一に分散されることを確実にすることができる。
【００２８】
ワイヤを監視及び調整することは、ワイヤ長さ、ワイヤ張力、ワイヤ牽引力、及びワイヤ牽引速度による群のうちの１つ以上を含むパラメーターを監視及び調整することを含む。ワイヤのうちの１つ、いくつか、又は全てのワイヤのこれらのパラメーターを監視、制御、及び調整等することにより、良好に制御された条件下でキャリア構造体の吊上げが達成される。
【００２９】
一実施形態において、ホイスト機構は、キャリア構造体と地面との間に延びる１つ以上のワイヤを備える。これにより、ワイヤは、吊上げ中のキャリア構造体の位置決め及びその動きを制御するのを補助することができる。これは、キャリア構造体がタワーから延出する１つ以上のアームを備え、それにより、キャリア構造体がより不安定で、振動を防ぐのがより困難になる場合に、特に有利であり得る。ワイヤは、地面に又は地面近くに配置されたウィンチに取り付けることができる。ワイヤは、タワー構造体からいくらか距離を隔てた位置まで延びることができることが好ましい。それにより、ワイヤは、横方向の力をより多くキャリア構造体に伝達することができる。キャリア構造体と地面との間に延びるワイヤのうちのいくつか又は全ては、キャリア構造体の中央部分及び／又はアームの端部のより近くに取り付けることができる。
【００３０】
キャリア構造体は、リングと、リングから延出する１つ以上のアームとを備えることができ、キャリア構造体をタワー構造体に対して周方向に配置するステップは、１つ以上のアームがタワー構造体から延出するように、リングをタワー構造体に対して周方向に、タワー構造体に隣接して配置することを含むことができる。
【００３１】
この実施形態によれば、リングは、タワー構造体とキャリア構造体との間の境界部を形成する。１つ以上のアームは、エネルギー発生ユニットのうちの少なくともいくつかを保持することができることが有利である。それにより、エネルギー発生ユニットのうちの少なくともいくつかは、タワー構造体から距離を置いて配置される。
【００３２】
タワー構造体は、円錐形状を有することができ、キャリア構造体をタワー構造体の上部へと吊り上げるステップは、キャリア構造体をタワー構造体の上部へと吊り上げる間、キャリア構造体によって規定される内径を、円錐形タワー構造体によって規定される外径に適合するように調整することを含むことができる。
【００３３】
タワー構造体が円錐形状を有する場合、タワー構造体によって規定される外径は、タワー構造体の上部においてタワー構造体の下部よりも小さくなる。したがって、一方では、キャリア構造体がタワー構造体の下部においてタワー構造体の周囲に適合し、他方では、キャリア構造体が上部においてタワー構造体に適切に固定されることを確実にする手段を提供する必要がある。これは、例えば、キャリア構造体によって規定される内径が調整可能であるようにキャリア構造体を設計することによって得ることができる。それにより、タワー構造体とキャリア構造体との間の密接な適合を、タワー構造体の下部においてもタワー構造体の上部においても確実にすることができる。キャリア構造体によって規定される内径を連続的に調整することができる場合、内径は、タワー構造体の長さに沿ってタワー構造体の任意の外径に適合するように調整することもできる。
【００３４】
キャリア構造体が、上述したようにリング及び１つ以上のアームを備える種類である場合、調整可能な内径は、リングの内径とすることができる。これは、例えば、キャリア構造体が動作位置に吊り上げられている場合、キャリア構造体からタワー構造体に向かって径方向に付勢され、それにより、キャリア構造体をタワー構造体に対して固定する複数の可動ピンを、キャリア構造体に設けることによって得ることができる。代替的には、リングには、リングの直径及び円周を調整することを可能にする調整可能な円筒構成を与えることができる。
【００３５】
一代替形態として、タワーは、実質的に円筒形状を有することができる。この場合、キャリア構造体によって規定される内径を調整する必要はなく、したがって、キャリア構造体をタワー構造体の上部へと吊り上げることがより単純になる。
【００３６】
タワー構造体は、２つ以上のタワーセグメントを含むことができ、本方法は、２つ以上のタワーセグメントを組み付けることによってタワー構造体を組み立てるステップを更に含むことができる。タワーセグメントは、可逆的な方法、例えばねじ又はボルトを用いて組み付けてもよいし、不可逆的な方法、例えば溶接等によって組み付けてもよい。
【００３７】
一代替形態として、タワー構造体は、コンクリートから作製することができ、この場合、タワー構造体は、現場で生コンクリートを打ち込むことによって形成することができる。コンクリート製タワー構造体は、続いて、例えばタワー構造体内に配置されるワイヤによって補強してもよい。
【００３８】
タワー構造体を組み立てるステップは、第１のタワーセグメントを基礎構造体に取り付け、その後、１つ以上の更なるタワーセグメントを第１のタワーセグメントに取り付けることを含むことができ、キャリア構造体をタワー構造体に対して周方向に配置するステップは、第１のタワーセグメントを基礎構造体に取り付けた後かつ２つ以上の更なるタワーセグメントを第１のタワーセグメントに取り付ける前に行うことができる。
【００３９】
この実施形態によれば、第１のタワーセグメントが、最初に、基礎構造体上に取り付けられ、それにより、第１のタワーセグメントはタワー構造体の下部を形成する。次に、キャリア構造体が、第１のタワーセグメントに対して周方向に配置される。この時点では第１のタワーセグメントのみが基礎構造体に取り付けられているため、キャリア構造体は上方から第１のタワーセグメント上を摺動することが可能であり、それにより、キャリア構造体は一部品として製造することが可能である。しかし、上述したように、キャリア構造体が２つ以上の部分を有することができ、それらの部分を第１のタワーセグメントに対して周方向に配置し、その後、キャリア構造体を形成するために組み付けることは除外されない。キャリア構造体が第１のタワーセグメントに対して周方向に配置されると、１つ以上の更なるタワーセグメントが、タワー構造体が完成するまで次々と第１のタワーセグメントに取り付けられる。タワーセグメントは、同様にホイスト機構を用いて吊り上げることができる。
【００４０】
キャリア構造体をタワー構造体の上部へと吊り上げるステップは、タワー構造体を組み立てるステップが完了すると行うことができる。この実施形態によれば、キャリア構造体は、タワー構造体の下部からタワー構造体の上部へと一度に吊り上げられる。
【００４１】
一代替形態として、キャリア構造体は、より小さいステップで吊り上げることができる。例えば、タワーセグメントがタワー構造体に追加されるごとに、キャリア構造体を、このタワーセグメントによって規定される位置に吊り上げることができる。
【００４２】
本方法は、ホイスト機構を用いて、２つ以上のエネルギー発生ユニットをキャリア構造体へと吊り上げるステップと、エネルギー発生ユニットをキャリア構造体に固定するステップと、を更に含むことができる。
【００４３】
この実施形態によれば、キャリア構造体がタワー構造体の上部に吊り上げられ、タワー構造体の上部に固定されると、エネルギー発生ユニットは、キャリア構造体へと吊り上げられ、キャリア構造体に固定される。エネルギー発生ユニットの吊上げは、同様にホイスト機構を用いて、すなわち外部のクレーンを必要とすることなく行われる。これは大きな利点である。
【００４４】
エネルギー発生ユニットをキャリア構造体に固定するステップは、例えば、エネルギー発生ユニットのナセルをキャリア構造体に固定することを含むことができる。
【００４５】
本方法は、エネルギー発生ユニットのうちの少なくとも１つに関して、ナセル及びハブを組み付けるステップを更に含むことができ、２つ以上のエネルギー発生ユニットをキャリア構造体へと吊り上げるステップは、ホイスト機構を用いて、組み付けられたエネルギー発生ユニット（複数の場合もある）を吊り上げることを含むことができる。この実施形態によれば、少なくとも１つのエネルギー発生ユニットのナセル及びハブは、キャリア構造体へと一度に吊り上げられる。一代替形態として、ナセル、ハブ、及び風力タービンブレードは、別個に吊り上げることができ、又は、ナセルとハブとを別個に吊り上げる一方で、風力タービンブレードのうちの少なくともいくつかをハブとともに吊り上げることができる。
【００４６】
本方法は、エネルギー発生ユニットをキャリア構造体へと吊り上げる前に、１つ以上の風力タービンブレードを、エネルギー発生ユニットのうちの少なくとも１つのエネルギー発生ユニットのハブに取り付けるステップを更に含むことができる。この実施形態によれば、エネルギー発生ユニットのうちの少なくとも１つに関して、ナセル、ハブ、及び少なくとも１つの風力タービンブレードは一度に吊り上げられる。エネルギー発生ユニットをキャリア構造体へと吊り上げる前に、風力タービンブレードの全てをハブに取り付けてもよい。代替的には、風力タービンブレードのうちのいくつかのみを、エネルギー発生ユニットを吊り上げる前にハブに取り付けることができる。この場合、残りの風力タービンブレード（複数の場合もある）は、エネルギー発生ユニットを吊り上げた後に、別個に吊り上げられ、続いてハブに取り付けられる。
【００４７】
例えば、エネルギー発生ユニットが３つの風力タービンブレードを備える場合、ナセルに対するハブの回転位置に関わらず、風力タービンブレードのうちの少なくとも１つが下方向を向く。したがって、完全に組み立てられたエネルギー発生ユニットが地面に又は地面近くに配置される場合、風力タービンブレードのうちの少なくとも１つが地面に衝突する。この場合、風力タービンブレードのうちの２つをハブに取り付け、ハブをナセルに取り付けることが望ましいものとなり得る。その場合、ハブは、２つの風力タービンブレードが上方向に向く位置に回転させることができる。これは、「バニーイヤー（bunny ear：ウサギの耳）」位置と呼ばれることがある。こうして、ナセル、ハブ、及び２つの風力タービンブレードを、キャリア構造体へと一度に吊り上げることができる。その後、最後の風力タービンブレードをキャリア構造体へと吊り上げ、ハブに取り付けることができる。
【００４８】
エネルギー発生ユニットをキャリア構造体へと吊り上げるステップは、エネルギー発生ユニットのうちの少なくとも１つに関して、風力タービンブレードが実質的に地面と平行に延在するようにエネルギー発生ユニットを配置するステップと、ホイスト機構を用いて、エネルギー発生ユニットをキャリア構造体へと吊り上げるステップと、エネルギー発生ユニットを、風力タービンブレードが実質的に地面と垂直に延在する位置に傾けるステップと、を含むことができる。
【００４９】
この実施形態によれば、エネルギー発生ユニット全体を、キャリア構造体へと吊り上げる前に組み立てることができる。上述したように、風力タービンブレードが地面に衝突することを回避するため、エネルギー発生ユニット全体が、風力タービンブレードが地面と平行に延在する状態で配置される。例えば、ブレードは、地面の最も近くに配置され、ハブ及びナセルは、風力タービンブレードの位置から上方向に延在する場合がある。エネルギー発生ユニットは、次いで、この向きでキャリア構造体へと吊り上げられる。
【００５０】
エネルギー発生ユニットがキャリア構造体の位置に達すると、風力タービンブレードが地面に衝突するリスクはもはやない。したがって、エネルギー発生ユニットは、動作位置、すなわち、風力タービンブレードが実質的に地面に垂直に延在する位置に安全に傾けることができ、それにより、風力タービンブレードを風へと向けることが可能になる。エネルギー発生ユニットが動作位置へと傾けられると、エネルギー発生ユニットはキャリア構造体に固定される。
【００５１】
一代替形態として、エネルギー発生ユニットをキャリア構造体へと吊り上げるステップは、エネルギー発生ユニットのうちの少なくとも１つに関して、ハブを、ナセルに対して、風力タービンブレードが実質的に地面と平行に延在する位置に傾けるステップと、ホイスト機構を用いて、エネルギー発生ユニットをキャリア構造体へと吊り上げるステップと、ハブを、ナセルに対して、風力タービンブレードが実質的に地面と垂直に延在する位置に傾けるステップと、ハブをナセルに回転式に取り付けるステップと、を含むことができる。
【００５２】
この実施形態は、上述した実施形態と同様である。しかし、この場合では、エネルギー発生ユニット全体を傾けるのではなく、風力タービンブレードが地面と平行に向くように、ハブがナセルに対して傾けられる。したがって、ナセルは、プロセス全体の間、動作位置にあり続ける。これにより、ハブを動作位置に傾ける前に、ナセルをキャリア構造体に固定することが可能になる。
【００５３】
上述したようにエネルギー発生ユニットをキャリア構造体へと吊り上げることに対する一代替形態として、エネルギー発生ユニットは、キャリア構造体をタワー構造体の上部へと吊り上げる前に、キャリア構造体に取り付けることができる。この場合、エネルギー発生ユニットは、キャリア構造体とともにタワー構造体の上部へと吊り上げられる。
【００５４】
別の代替形態として、エネルギー発生ユニットの一部をキャリア構造体に取り付け、キャリア構造体とともにタワー構造体の上部へと吊り上げることができる。エネルギー発生ユニットの残りの部分は、その後、別個にキャリア構造体へと吊り上げることができる。例えば、ナセルをキャリア構造体とともに吊り上げることができるが、ハブ及び風力タービンブレードは別個に吊り上げられる。又は、ナセル及びハブをキャリア構造体とともに吊り上げることができるが、風力タービンブレードは別個に吊り上げられる。
【００５５】
１つの実施形態によれば、風力タービンには、２つ以上のキャリア構造体を設けることができる。更に、タワー構造体には、タワー構造体を安定させるために配置される支持ガイドワイヤを設けることができ、それにより、最小のタワー寸法で安定したタワー構造体がもたらされる。この場合、本発明の第１の態様に係る方法は、以下のように行うことができる。
【００５６】
最初に、タワー構造体を、ガイドワイヤを伴わずに組み立てる。次に、２つのキャリア構造体を、タワー構造体の下部において、タワー構造体に対して周方向に配置する。キャリア構造体を互いに直接上下に隣接して配置する。次に、２つのキャリア構造体をともに最下のキャリア構造体の動作位置に、すなわち、ガイドワイヤの取付け位置の真上の位置に吊り上げる。次に、ガイドワイヤをタワー構造体に取り付け、それにより、最上のキャリア構造体がその動作位置へと吊り上げられる前に、タワー構造体に更なる安定性をもたらす。ガイドワイヤの取付け位置が最下のキャリア構造体の動作位置よりも下にある場合、最下のキャリア構造体は、ガイドワイヤを取り付けた後にその動作位置にまた吊り上げられる。
【００５７】
ガイドワイヤは、キャリア構造体とともに吊り上げることができる。例えば、ガイドワイヤは、最下のキャリア構造体に取り付けることができ、最下のキャリア構造体がその動作位置に達すると、単純に地面に固定することができる。
【００５８】
この実施形態によれば、ガイドワイヤは、最上のキャリア構造体をその動作位置に吊り上げる前に、タワー構造体に取り付けることができ、それにより、タワー構造体に相当の負荷を与えるが、キャリア構造体がガイドワイヤに衝突することなくタワー構造体に沿って摺動することを可能にする。
【００５９】
ホイスト機構は、ワイヤウィンチ機構とすることができる。ワイヤウィンチ機構は、タワー構造体内又はタワー構造体に沿って適切に配置される複数のワイヤと、ワイヤに接続される１つ以上のウィンチとを備えることができる。ワイヤは、風力タービンに恒久的に配置することができ、一方、ウィンチ（複数の場合もある）は可動とすることができる。それにより、ウィンチ（複数の場合もある）は、関連する風力タービン間でウィンチ（複数の場合もある）を移動させるだけで、複数の風力タービン、例えばウィンドファームを形成する風力タービンを組み立てるのに用いることができる。これにより、風力タービンを組み立てるコストが更に低減される。しかし、ウィンチ（複数の場合もある）は、代替的には、風力タービンに恒久的に配置してもよい。
【００６０】
代替的には、ホイスト機構は、摩擦車を用いるホイスト機構、油圧駆動式ホイスト機構、又は他の任意の好適な種類のホイスト機構等の別の種類のものであってもよい。
【００６１】
第２の態様によれば、本発明は、マルチローター風力タービンを少なくとも部分的に分解する方法であって、風力タービンは、タワー構造体と、それぞれナセルと１組の風力タービンブレードを保持するハブとを備える少なくとも２つのエネルギー発生ユニットと、それぞれ１つ以上のエネルギー発生ユニットを保持するように構成されている少なくとも１つのキャリア構造体とを備え、キャリア構造体は、タワー構造体の上部において、タワー構造体に対して周方向に配置され、本方法は、
キャリア構造体をタワー構造体から取り外すステップと、
ホイスト機構を用いて、キャリア構造体をタワー構造体の下部へと下降させるステップと、
を含む、方法を提供する。
【００６２】
当業者であれば、本発明の第１の態様との組合せで記載された任意の特徴を本発明の第２の態様と組み合わせることもでき、その反対も可能であることを容易に理解するであろうことに留意すべきである。したがって、上記に述べた事項は、ここでも等しく適用可能である。
【００６３】
本発明の第２の態様に係る方法によって分解される風力タービンは、本発明の第１の態様に係る方法によって組み立てられる風力タービンと同じ種類のものである。したがって、これに関して上記に述べた事項は、ここでも等しく適用可能である。
【００６４】
本発明の第２の態様の方法によれば、最初に、キャリア構造体をタワー構造体の上部から取り外す。続いて、キャリア構造体を、ホイスト機構を用いてタワー構造体の下部へと下降させる。したがって、これは、本発明の第１の態様に係る方法の「逆転」とみなすことができる。
【００６５】
上述したように、外部のクレーンの使用を必要とすることなく風力タービンを分解することが可能になるため、ホイスト機構を用いてキャリア構造体が下降されることは有利である。それにより、風力タービンを分解するコストは低減される。
【００６６】
本方法は、ホイスト機構を用いて、エネルギー発生ユニットのうちの１つ以上を地面へと下降させるステップを更に含むことができる。これも、エネルギー発生ユニットは吊り上げられるのではなく下降されるという点を除いて、本発明の第１の態様を参照して上述した実施形態と同様である。キャリア構造体をタワー構造体から取り外し、地面へと下降させる前に、エネルギー発生ユニットを下降させることができることが有利である。
【００６７】
エネルギー発生ユニットのうちの１つ以上を地面へと下降させるステップは、エネルギー発生ユニットをキャリア構造体から取り外すステップと、エネルギー発生ユニットを、風力タービンブレードが実質的に地面と平行に延在する位置に傾けるステップと、ホイスト機構を用いて、エネルギー発生ユニットを地面へと下降させるステップと、を含むことができる。
【００６８】
この実施形態によれば、ナセルと、ハブと、風力タービンブレードとを含むエネルギー発生ユニット全体は、エネルギー発生ユニットが地面へと下降される前に傾けられ、それにより、風力タービンブレードを実質的に地面と平行に延在する位置にする。本発明の第１の態様を参照して上述した状況と同様に、これにより、風力タービンブレードが地面に衝突することが防止され、風力エネルギーユニットは、ここでも一度に下降させることができる。
【００６９】
一代替形態として、エネルギー発生ユニットのうちの１つ以上を地面へと下降させるステップは、エネルギー発生ユニットをキャリア構造体から取り外すステップと、ハブを、ナセルに対して、風力タービンブレードが実質的に地面と平行に延在する位置に傾けるステップと、  ホイスト機構を用いて、エネルギー発生ユニットを地面へと下降させるステップと、含むことができる。
【００７０】
この実施形態によれば、風力タービンブレードは、同様に地面と平行に位置決めされ、それにより、エネルギー発生ユニットが下降される際に地面に衝突することが防止される。しかし、この場合では、ハブのみが傾けられ、その間、ナセルは動作位置にあり続ける。この傾けるステップは、ナセルをキャリア構造体から取り外す前又は後のいずれに行ってもよい。
【００７１】
別の代替形態として、エネルギー発生ユニットのうちの少なくとも１つは、３つの風力タービンブレードを備えることができ、１つ以上のエネルギー発生ユニットを地面へと下降させるステップは、１つの風力タービンブレードをエネルギー発生ユニットから取り外すステップと、ホイスト機構を用いて、取り外された風力タービンブレードを地面へと下降させるステップと、エネルギー発生ユニットのハブを、残りの２つの風力タービンブレードが上向きの方向に延在する位置に回転させるステップと、エネルギー発生ユニットをキャリア構造体から取り外すステップと、ホイスト機構を用いて、エネルギー発生ユニットを地面へと下降させるステップと、を含むことができる。
【００７２】
この実施形態によれば、最初に、風力タービンブレードのうちの１つをエネルギー発生ユニットから取り外し、別個に地面へと下降させる。次に、ハブを、残りの２つの風力タービンブレードの双方が上方向、すなわち「バニーイヤー」位置を向く位置に回転させ、エネルギー発生ユニットを地面へと下降させる。それにより、エネルギー発生ユニットを地面へと下降させる際に、風力タービンブレードが地面に衝突することが回避される。
【００７３】
この回転させるステップは、風力タービンブレードを取り外す前に行ってもよい。この場合、ハブは、風力タービンブレードのうちの１つが直下方向に延在するとともに、他の２つが上方に延在する位置に回転させることができ、直下に延在する風力タービンブレードを、取り外して下降させることができる。
【００７４】
一代替形態として、３つ全ての風力タービンブレードをハブから取り外して、ナセル及びハブを地面へと下降させる前に１つずつ地面へと下降させてもよい。
【００７５】
エネルギー発生ユニットを別個に下降させることに対する一代替形態として、エネルギー発生ユニットは、キャリア構造体とともに下降させてもよく、すなわち、キャリア構造体を、エネルギー発生ユニットが取り付けられた状態で下降させてもよい。
【００７６】
上述したように、ホイスト機構は、ワイヤウィンチ機構とすることができる。
【００７７】
以下、本発明を、添付図面を参照して更に詳細に記載する。
【図面の簡単な説明】
【００７８】
【図１】本発明の一実施形態に係るマルチローター風力タービンを組み立てる方法を示す図である。
【図２】本発明の一実施形態に係るマルチローター風力タービンを組み立てる方法を示す図である。
【図３】本発明の一実施形態に係るマルチローター風力タービンを組み立てる方法を示す図である。
【図４】本発明の一実施形態に係るマルチローター風力タービンを組み立てる方法を示す図である。
【図５】本発明の一実施形態に係るマルチローター風力タービンを組み立てる方法を示す図である。
【図６】本発明の一実施形態に係るマルチローター風力タービンを組み立てる方法を示す図である。
【図７】本発明の一実施形態に係るキャリア構造体の吊り上げを示す図である。
【図８】本発明の一実施形態に係るエネルギー発生ユニットの吊り上げを示す図である。
【図９】２つのエネルギー発生ユニットを保持する１つのキャリア構造体を備えるマルチローター風力タービンの正面図である。
【図１０】４つのエネルギー発生ユニットを保持する２つのキャリア構造体を備えるマルチローター風力タービンの正面図である。
【図１１】本発明の一実施形態に係るエネルギー発生ユニットの吊り上げ又は下降を示す図である。
【図１２】本発明の一実施形態に係るエネルギー発生ユニットの吊り上げ又は下降を示す図である。
【図１３】本発明の一実施形態に係るエネルギー発生ユニットの吊り上げ又は下降を示す図である。
【図１４】本発明の一実施形態に係るエネルギー発生ユニットの吊り上げ又は下降を示す図である。
【図１５】本発明の一実施形態に係るエネルギー発生ユニットの吊り上げ又は下降を示す図である。
【図１６】本発明の一実施形態に係るキャリア構造体の吊り上げ又は下降を示す図である。
【図１７】本発明の一実施形態に係るキャリア構造体の吊り上げ又は下降を示す図である。
【図１８】本発明の一実施形態に係るキャリア構造体の吊り上げ又は下降を示す図である。
【発明を実施するための形態】
【００７９】
図１〜図６は、本発明の一実施形態に係るマルチローター風力タービンを組み立てる方法を示している。
【００８０】
図１において、キャリア構造体１は、タワー構造体２の下部において、タワー構造体２に対して周方向に配置されている。複数のワイヤ３が、キャリア構造体１に取り付けられ、タワー構造体２の頂部に配置されたプーリー４を介してウィンチ（図示せず）に接続される。ワイヤ３、ウィンチ、及びプーリー４は、ホイスト機構を形成し、外部のクレーンを必要とすることなく、キャリア構造体１を、タワー構造体２に沿ってタワー構造体２の上部における動作位置に吊り上げることを可能にする。それにより、風力タービンを組み立てるコストが低減される。
【００８１】
図２は、キャリア構造体１が、上述したようにタワー構造体２に沿って吊り上げられているところを示している。
【００８２】
図３では、キャリア構造体１は、タワー構造体２の上部における動作位置に吊り上げられている。こうして、吊上げプロセスは完了し、キャリア構造体１をタワー構造体２に固定することができる。
【００８３】
図４では、図１〜図３に関して上述したようにタワー構造体２の上部に吊り上げたキャリア構造体１ａに加えて、追加のキャリア構造体１ｂが、タワー構造体２に対して周方向に配置されている。ワイヤ３は、ここでは追加のキャリア構造体１ｂに接続され、それにより、ホイスト機構を用いて、追加のキャリア構造体１ｂを同じく動作位置に吊り上げることが可能である。
【００８４】
図５では、追加のキャリア構造体１ｂは、動作位置に吊り上げられ、タワー構造体２に固定されている。追加のキャリア構造体１ｂの動作位置は、第１のキャリア構造体１ａの動作位置よりもいくらか下にあり、それにより、エネルギーユニットが互いに干渉することなく、キャリア構造体１ａ、１ｂの双方にエネルギー発生ユニットを取り付けることが可能であることを見て取ることができる。
【００８５】
図６において、ワイヤ３のうちの１つは、ナセル（図示せず）と、ハブ６と、複数の風力タービンブレード７（そのうちの２つが示されている）とを備えるエネルギー発生ユニット５に取り付けられている。それにより、エネルギー発生ユニット５は、キャリア構造体１ａ、１ｂをそれぞれの動作位置に吊り上げるのに用いたのと同じホイスト機構を用いて、キャリア構造体１ｂへと吊り上げることができる。したがって、エネルギー発生ユニット５をキャリア構造体１ａ、１ｂへと吊り上げるために、ここでも外部のクレーンを必要としない。図６では、エネルギー発生ユニット５は、キャリア構造体１ｂへと吊り上げるプロセス中である。
【００８６】
図１〜図６を参照して上述したプロセスを逆にすることにより、ホイスト機構を用いて風力タービンを少なくとも部分的に分解することが可能になり得ることに留意すべきである。
【００８７】
図７は、タワー構造体２を、複数のワイヤ３と、２つのプーリー４と、ワイヤ３に接続されたウィンチ８とを備えるホイスト機構とともに示している。タワー構造体２の一部は、明確にするために示されていない。ウィンチ８は、輸送カート９上に配置される。それにより、ウィンチ８は、様々な風力タービン間で輸送することができ、それにより、風力タービンを組立て又は分解するために、所与の風力タービンのワイヤ３に接続し、キャリア構造体１及び／又はエネルギー発生ユニット５を吊り上げるのに用いることが可能である。これにより、風力タービンの組立て又は分解のコストが更に一層低減される。
【００８８】
図８は、図７に示されているホイスト機構を用いて、エネルギー発生ユニット５を、既に動作位置に吊り上げられているキャリア構造体１へと吊り上げる様子を示している。ワイヤ３のうちの１つは、エネルギー発生ユニット５とウィンチ８とに取り付けられ、矢印で示されているようにウィンチ８を動作させ、それにより、エネルギー発生ユニット５をキャリア構造体１における適所に吊り上げる。この場所において、エネルギー発生ユニット５をキャリア構造体１に固定することができる。
【００８９】
図９は、１つのキャリア構造体１が上部に取り付けられているタワー構造体２を備えるマルチローター風力タービン１０の正面図である。キャリア構造体１は、タワー構造体２に対して周方向に、タワー構造体２に隣接して配置されるリング１１と、タワー構造体２から外方に延出する２つのアーム１２とを備える。キャリア構造体１のアーム１２のそれぞれは、エネルギー発生ユニット５を保持し、各エネルギー発生ユニット５は、ナセル（図示せず）と、３つの風力タービンブレード７を保持するハブ６とを備える。したがって、図９のマルチローター風力タービン１０は、合計２つのエネルギー発生ユニット５を備える。
【００９０】
キャリア構造体１及び／又はエネルギー発生ユニット５は、上述したように吊り上げる及び／又は下降させることができる。
【００９１】
図１０は、図１〜図６を参照して上述したように、タワー構造体２と、タワー構造体２に取り付けられた２つのキャリア構造体１ａ、１ｂとを備えるマルチローター風力タービン１０の正面図である。各キャリア構造体１ａ、１ｂは、図９を参照して上述したように、リング１１及び２つのアーム１２を備え、各アーム１２は、２つのエネルギー発生ユニット５を保持する。したがって、図１０のマルチローター風力タービン１０は、合計４つのエネルギー発生ユニット５を備える。
【００９２】
図１１〜図１６は、本発明の種々の実施形態に係るエネルギー発生ユニット５を吊り上げる又は下降させるところを示している。図１１において、ナセル１３及びハブ６を備えるエネルギー発生ユニット５は、１組のワイヤ３を介してウィンチ８に接続される。それにより、ナセル１３及びハブ６は、ともに吊上げ又は下降され、一方、風力タービンブレードは、別個に吊上げ又は下降される。それにより、３つの風力タービンブレードを備えるエネルギー発生ユニット５は、風力タービンブレードのうちの１つが地面に衝突するリスクを冒さずに吊り上げる又は下降させることができる。
【００９３】
図１２も、１組のワイヤ３を介してウィンチ８に接続されるエネルギー発生ユニット５を示している。エネルギー発生ユニット５は、この場合では、ナセル１３と、ハブ６と、ハブ６に取り付けられた２つの風力タービンブレード７（そのうちの１つが示されている）とを備える。ハブ６は、風力タービンブレード７が上方向を向く位置に回転されている。これは、「バニーイヤー」位置と呼ばれることがある。それにより、エネルギー発生ユニット５は、風力タービンブレード７が地面に衝突するリスクを冒さずに吊り上げる又は下降させることができる。３つ目の風力タービンブレードは、別個に吊上げ又は下降される。
【００９４】
図１３も、１組のワイヤ３を介してウィンチ８に接続されるエネルギー発生ユニット５を示している。エネルギー発生ユニット５は、ナセル１３と、ハブ６と、３つの風力タービンブレード７（そのうちの２つが示されている）とを備える。したがって、この場合では、エネルギー発生ユニット５全体が組み立てられており、一度に吊り上げる又は下降させることができる。風力タービンブレード７のうちの１つが地面に衝突することを回避するために、風力タービンブレード７を保持するハブ６は、ナセル１３に対して、風力タービンブレード７が実質的に地面と平行に延在する位置に傾けられている。
【００９５】
図１４及び図１５も、１組のワイヤ３を介してウィンチ８に接続されるエネルギー発生ユニット５を示している。エネルギー発生ユニット５は、ナセル１３と、ハブ６と、３つの風力タービンブレード７とを備える。図１４は、動作位置にあるエネルギー発生ユニット５の、それぞれ側面図及び正面図である。図１５では、ナセル１３と、ハブ６と、風力タービンブレード７とを備えるエネルギー発生ユニット５全体は、旋回軸１４を中心に、風力タービンブレード７が地面に沿って延在する位置に傾けられている。それにより、エネルギー発生ユニット５は、風力タービンブレード７が地面に衝突するリスクを冒さずに吊り上げる又は下降させることができる。
【００９６】
図１６及び図１７は、キャリア構造体１をタワー構造体２に沿って吊り上げる又は下降させることができる方法の略図を示している。ここでは、キャリア構造体１は、単純に箱によって示されているが、様々な形状、格子構造等をとることができる。キャリア構造体は、中央部分（図示せず）から延在する１つ以上のアームを更に備えることができる。キャリア構造体の吊上げ又は下降を制御するために、好ましくは、吊上げ及び下降中、キャリア構造体とタワーとの間に隙間２０が常に存在するものとする。これにより、キャリア構造体とタワーとの間の直接の接触は回避される。図１６では、この隙間は、隙間２０内に配置される複数のばね付勢ローラー２１によって制御される。図１７では、同じ効果を、複数のばね付勢摺動パッド２２を使用することで得る。ばね付勢ローラー及び／又はばね付勢摺動パッドは、矢印２３によって示されているように、ローラー又はパッドのいくらかの横方向運動を可能にするように配置される。このようにして、キャリア構造体は、吊り上げられる（又は下降される）際、タワー表面に沿って上方（又は下方に）転動する。更に、ばね付勢ローラーは、タワーの長さに沿ってタワー表面にある何らかの不規則部又は凹凸を、キャリア構造体が傾く又は振動することなく通過することが可能である。タワー表面にある不規則部又は凹凸は、例えば、タワーセクション間の接合部、フランジ、溶接部、ボルト頭部等であり得る。
【００９７】
図１８は、キャリア構造体１と地面２４との間に延びる複数の追加のワイヤ３ａの使用を示している。これらのワイヤは、吊上げ又は下降時のキャリア構造体１の位置及び動きの追加の制御を与えるのに用いられる。ワイヤ３ａは、ここでは、地面上又は地面近くに配置されているウィンチ２５に取り付けられる。
【図１】
2018526558.tif 000003
【図２】
2018526558.tif 000004
【図３】
2018526558.tif 000005
【図４】
2018526558.tif 000006
【図５】
2018526558.tif 000007
【図６】
2018526558.tif 000008
【図７】
2018526558.tif 000009
【図８】
2018526558.tif 000010
【図９】
2018526558.tif 000011
【図１０】
2018526558.tif 000012
【図１１】
2018526558.tif 000013
【図１２】
2018526558.tif 000014
【図１３】
2018526558.tif 000015
【図１４】
2018526558.tif 000016
【図１５】
2018526558.tif 000017
【図１６】
2018526558.tif 000018
【図１７】
2018526558.tif 000019
【図１８】
2018526558.tif 000020
【国際調査報告】
2018526558.tif 000021
2018526558.tif 000022
2018526558.tif 000023